(57)【要約】      （修正有）【課題】凹型ベッド体、エア保護フレーム、ベッドケースを分離し、磨耗した物品だけを取り外して交換でき、且つ、全体の外観を美化し、エア保護フレームに対する保護を強化して使用寿命を延長すると共に、各種健康ベッドマットの追加装着ができるウォーターベッドの提供。【解決手段】凹型ベッド体の四辺上の適切な位置にエア保護フレーム６を挿入するための挿入・取り出し口５２をそれぞれ２つ以上設け、空気注入栓６１を備えた該保護フレームを設置して収納空間を形成し、該収納空間の中間位置に縦方向中央エアフレーム８を設け、ウォーターバッグの収納槽５３を形成し、外囲層４１内に設置された複数の横方向仕切り片４３と通水孔４４を有する前記ウォーターバッグ４を該収納槽内に設置し、該ベッドケース７は上面が開口した箱型であり、組み立て後の凹型ベッド体を該ベッドケース内に入れ、該挿入・取り出し口及び空気注入栓を覆う。【選択図】図２
0003106585.tif 000002
【実用新案登録請求の範囲】
【請求項１】
ウォーターバッグ、凹型ベッド体、エア保護フレーム、ベッドケースから構成され、そのうち、該凹型ベッド体の四辺上の適切な位置に、４本の空気未充填の保護フレームを挿入するための挿入・取り出し口をそれぞれ少なくとも２つ設け、該４本のエア保護フレーム上には、前記凹型ベッド体の四辺に設けた挿入・取り出し口の位置に合わせて空気注入栓をそれぞれ設け、該4本のエア保護フレームを設置して収納空間を形成し、該収納空間の中間位置に縦方向の中央エアフレームまたは細長スポンジを設け、２つのウォーターバッグの収納槽を形成し、外囲層内に平行に間隔をあけて設置された中空の矩形状の複数の横方向仕切り片と通水孔を有する２つの前記ウォーターバッグを該収納槽内に設置し、該縦方向の中央エアフレームまたは細長スポンジの両端の適切な位置に面ファスナーを設けて収納槽の上下側面に粘着させ、さらに、該ベッドケースは上面が開口した箱型であり、エア保護フレームとウォーターバッグを装着した凹型ベッド体を該ベッドケース内に下から上へ入れ、該凹型ベッド体の挿入・取り出し口及びエア保護フレームの空気注入栓を該ベッドケースで覆ったことを特徴とする、ウォーターベッド。     
【請求項２】
前記のうち、該ウォーターバッグを１バッグ式ダブルサイズウォーターベッド用に変える際、該外囲層内の複数の横方向仕切り片を複数の縦方向仕切り片に変え、単一の大きなダブルサイズバッグとした、請求項１に記載のウォーターベッド。
【請求項３】
前記のうち、該ベッドケースの下から上に向かう側面と凹型ベッド体の側面とが緊密に密着した状態を形成した、請求項１に記載のウォーターベッド。
【請求項４】
前記のうち、該凹型ベッド体またはベッドケースの周辺部位に面ファスナーまたはファスナーを設け、各種健康ベッドマットや異なる厚みや柔らかさのマットを装着可能にした、請求項１に記載のウォーターベッド。
【考案の詳細な説明】
【技術分野】
【０００１】
本考案はウォーターベッドに関し、特に、ウォーターベッドの物品が磨耗し交換する際、交換にかかるコストを抑え、且つ、ウォーターベッド全体の外観を美化し、漏水の問題を完全になくし、ウォーターベッドの使用寿命を延長すると共に、ウォーターベッドの弾力性と柔らかさを容易に調節でき、ウォーターベッドの実用性と経済性を向上した、ウォーターベッドに関する。
【背景技術】
【０００２】
従来のウォーターベッドの構造は、ウォーターバッグ１及びベッドケース２により構成され、従来のダブルベッド型ウォーターベッドの立体図を図１に示す。図１のウォーターベッドのうち、左右に設置された2組のウォーターバッグ１は、ウォーターバッグの外囲層１１表面の適当な位置に注水栓１２を備え、該注水栓１２から水が注入される。さらに、ウォーターバッグの外囲層１１内に平行に間隔をおいて横方向仕切り片１３を複数設置し、該横方向仕切り片１３は、中空の枠状であり、その適当な位置に水を流動させるための通水孔１４を設け、且つ、該横方向仕切り片１３の上部及び底部と、前記ウォーターバッグの外囲層１１の内壁を高周波熱で接着する。ベッドケース２の上面に複数の挿入・取り出し口２１を設け、注水していないウォーターバッグ１を折り畳んで圧縮した後該挿入・取り出し口２１から挿入または取り出すことができ、また、注水栓１２を挿入・取り出し口２１の位置に合わせ、ウォーターバッグ１の注水を容易にする。さらに、該ベッドケース２の周辺に連続した枠状のエア保護フレーム３を設置し、該エア保護フレーム３上に空気を充填するための空気注入栓３１を設け、該エア保護フレーム３は縦方向に中央仕切り片３３を備え、日の字形を呈し、２つの収納槽３２が形成され、上記２組のウォーターバッグ１をそれぞれその中に収納することができる。
【０００３】
上述の従来のウォーターベッドの構造は、ウォーターベッドの揺れにくさ、安定性のよさ、柔らかさを随意に調節することができ、漏水しない等の効果もあるが、上述の構造には下に示すようないくつかの欠点がある。
【０００４】
１、  
従来のウォーターベッドの構造は、ベッドケースとエア保護フレームが一体となっており、ベッドケースまたはエア保護フレームが長時間の使用で磨耗が発生した場合、一体となっているベッドケースとエア保護フレームを一緒に交換しなければならず、物品コストの増加を招き、ウォーターベッドの実用性に大きく影響する。
２、  
ウォーターベッドの組み立て完成時に、該ベッドケースの挿入・取り出し口とエア保護フレームの空気注入栓が外に露出した状態となり、ウォーターベッド外観の美観を損ねる。
３、  
従来のウォーターベッドの構造は、一定時間使用すると、エア保護フレームが外側へ広がりやすく、ウォーターベッドの使用寿命が短縮されてしまう。
４、  
従来のウォーターベッドは各種健康ベッドマットを追加装備する設計を備えておらず、ウォーターベッドの効果と経済性が低い。
【考案の開示】
【考案が解決しようとする課題】
【０００５】
このため、本考案は上述のような従来のウォーターベッドの欠点と不便な点に鑑みて研究を重ね、専門の目と知識で、より実用的且つ応用範囲の広い、産業的利用価値を備えたウォーターベッドの改良構造を提供するものである。    
【０００６】
本考案の主な目的は、凹型ベッド体、エア保護フレーム及びベッドケースの３つを分離した設計により、この3つの構成物品が長時間の使用で磨耗されても、磨耗した物品だけを取り外して交換することができ、物品全体を交換しなくても済むため、交換物品のコストを節約でき、ウォーターベッドの実用性を向上することができる、ウォーターベッドを提供することにある。
【０００７】
本考案の別の目的は、ベッドケースを上面が開口した箱型に設計し、凹型ベッド体の挿入・取り出し口及びエア保護フレームの空気注入栓を遮蔽することで、ウォーターベッド全体の外観を美化し、且つ、ウォーターベッドのエア保護フレームに対する保護を強化し、外側への拡張を防ぐことで、ウォーターベッドの使用寿命を延長すると共に、漏水の問題の発生を完全に排除した、ウォーターベッドを提供することにある。
【０００８】
本考案のさらに別の目的は、凹型ベッド体またはベッドケースの周辺部位に面ファスナーまたはファスナー等を設置する設計により、各種の健康ベッドマットの追加装着を可能にし、ウォーターベッドの実用性と経済性を向上した、ウォーターベッドを提供することにある。
【課題を解決するための手段】
【０００９】
本考案は主にウォーターバッグ、凹型ベッド体、エア保護フレーム、ベッドケースから構成され、そのうち、該凹型ベッド体の四辺上の適切な位置に、４本の空気未充填の保護フレームを挿入するための挿入・取り出し口をそれぞれ少なくとも２つ設け、該４本のエア保護フレーム上には、前記凹型ベッド体の四辺に設けた挿入・取り出し口の位置に合わせて空気注入栓をそれぞれ設け、該4本のエア保護フレームを設置して収納空間を形成し、該収納空間の中間位置に縦方向の中央エアフレームまたは細長スポンジを設け、２つのウォーターバッグの収納槽を形成し、外囲層内に平行に間隔をあけて設置された中空の矩形状の複数の横方向仕切り片と通水孔を有する２つの前記ウォーターバッグを該収納槽内に設置し、該縦方向の中央エアフレームまたは細長スポンジの両端の適切な位置に面ファスナーを設けて収納槽の上下側面に粘着させ、さらに、該ベッドケースは上面が開口した箱型であり、エア保護フレームとウォーターバッグを装着した凹型ベッド体を該ベッドケース内に下から上へ入れ、該凹型ベッド体の挿入・取り出し口及びエア保護フレームの空気注入栓を該ベッドケースで覆う。
【考案の効果】
【００１０】
凹型ベッド体の挿入・取り出し口及びエア保護フレームの空気注入栓を該ベッドケースで覆うことにより、ウォーターベッド全体の外観をより美化すると共に、ウォーターベッドのエア保護フレームに対する保護を強化し、外側への拡張を防いでウォーターベッドの使用寿命を延長すると同時に、漏水の問題を完全に防ぐことができる。
【考案を実施するための最良の形態】
【００１１】
以下、本考案のウォーターベッドについて、最良の実施例と図面に基づき、その効果、構造及び特徴をより詳細に説明する。
【実施例１】
【００１２】
まず図２に本考案の２バッグ式ダブルサイズウォーターベッドの立体分解図を示す。本考案は主に２つのウォーターバッグ４、凹型ベッド体５、エア保護フレーム６及びベッドケース７より構成される。
【００１３】
そのうち、該凹型ベッド体５の四辺上の適切な位置に少なくとも２つの挿入・取り出し口５２をそれぞれ設け、4本の空気未充填のエア保護フレーム６を該挿入・取り出し口５２から挿入して、収納空間５１を形成する。該収納空間５１の中間位置に、さらに縦方向の中央エアフレームまたは細長スポンジ８を設け、２つのウォーターバッグ４をそれぞれ収納するための収納槽５３を形成し、該中央エアフレームまたは細長スポンジ８の両端の適切な位置に面ファスナー８１を設け、該収納槽５３の上下側面に粘着させて、前記ウォーターバッグ４を収納する収納槽５３が左右に１つずつ形成される。該４つのエア保護フレーム６上に、前記凹型ベッド体５の四辺に設けた前記挿入・取り出し口５２の位置に合わせて、空気を注入するための空気注入栓６１をそれぞれ設ける。さらに該ベッドケース７は上面が開口した箱型とし、エア保護フレーム６及びウォーターバッグ５を装着した凹型ベッド体５を下から上へ該ベッドケース７内に入れ、このとき、該ベッドケース７の上に向かう側面と該凹型ベッド体５の側面とが緊密に密着した状態を形成し、該凹型ベッド体５の挿入・取り出し口５２及びエア保護フレーム６の空気注入栓６１を遮蔽し、ウォーターベッド全体の外観を美化すると共に、漏水の問題を完全に排除してウォーターベッドの使用寿命を延長し、同時に、ウォーターベッドの弾力性と柔らかさを容易に調節することができる。このほか、該凹型ベッド体５の挿入・取り出し口５２とエア保護フレーム６の空気注入栓６１を外側へ露出することを目的とした設計では、ウォーターベッドの正常な柔らかさと形状を維持するため、一定時間毎に各エア保護フレーム６に空気を補充充填する際の利便性を高めることもできる。
【００１４】
上述を受け、従来と同様形式のウォーターバッグ４は、その外囲層４１表面の適切な位置に水を注入するための注水栓４２を備え、該ウォーターバッグ４の外囲層４１内に平行に間隔をあけた横向きの仕切り片４３を複数設け、該仕切り片４３は中空の枠状とし、その適切な位置に水を流動させるための通水孔４４を設け、且つ、該仕切り片４３の上面と底面を該ウォーターバッグ４の外囲層４１の内壁と高周波熱で接着する。
【００１５】
図３に示すように、シングルベッド設計の場合、ウォーターバッグ４には横向きの仕切り片４３を一列に一組設け、且つ、ウォーターバッグの頭側内部に該仕切り片４３と平行に密閉矩形エアバッグ４６を横向きに設け、該密閉矩形エアバッグ４６内壁上の適当な位置にエアチューブ４７を複数溶接し、該エアチューブ４７は設置されたすべての仕切り片４３を貫通しベッド足側の仕切り片４３外部まで伸び、且つ、該密閉矩形エアバッグ４６外表上の適切な位置に空気注入栓４６１を設け、空気を前記エアチューブ４７内に注入し、該ウォーターバッグ４の柔らかさを効果的に調節することを可能にする。
【実施例２】
【００１６】
本考案の１バッグ式ダブルサイズウォーターベッドの実施例を図４に示す。収納槽５１の上下側面に粘着された中央エアフレームまたは細長スポンジ８をなくし、従来のウォーターバッグ４の外囲層１内に設置された複数の横向き仕切り片４３を、複数の縦方向仕切り片４５に換え、大きなダブルサイズのウォーターバッグを形成する。さらに、設計変更後のウォーターバッグ４を収納空間５１内に設置し、該ウォーターバッグ４の外囲層４１表面の適切な位置に、注水用の複数の注水栓４２を設け、且つ、ウォーターバッグの外囲層４１内に設けた複数の縦方向仕切り片４５の適切な位置に水を流動させるための通水孔４４を設け、ウォーターバッグ内の水流波動を安定させる。
【実施例３】
【００１７】
さらに、本考案の別の実施例を図５に示す。前記凹型ベッド体５またはベッドケース７の周辺部位に面ファスナーまたはファスナー９等を設け、冷却または温熱マットや異なる厚みや形さのマット等の各種健康ベッドマット１０の追加装着を可能にすることもできる。
【００１８】
以上から分かるように、本考案のウォーターベッドは、組み立て・取り外しが簡単な構造であり、予期した目的と効果を達することができ、従来のウォーターベッドの構造に比べ、実用性と経済性が高く、且つこれまで公開されていないものであり、実用新案の新規性や進歩性といった要件に合致するため、ここに出願するものである。
【００１９】
以上の説明と図示は、本考案の実施例を示したものであり、本考案の実際の実施範囲を制限するものではなく、以上の説明及び特許申請範囲に記載された構造上の特徴及び機能に変更を加えたものも、本考案の特許権の範囲に含まれるものとみなす。
【図面の簡単な説明】
【００２０】
【図１】従来のダブルサイズウォーターベッドを示す立体透視図である。
【図２】本考案の２バッグ式ダブルサイズウォーターベッドの立体分解図である。
【図３】本考案のシングルサイズウォーターベッドの立体分解図である。
【図４】本考案の１バッグ式ダブルサイズウォーターベッドの立体分解図である。
【図５】本考案のダブルサイズウォーターベッドの別の実施例を示す立体透視図である。
【符号の説明】
【００２１】
１          ウォーターバッグ
１１        外囲層
１２        注水栓
１３        仕切り片
１４        通水孔
２          ベッドケース
２１        挿入・取り出し口
３          エア保護フレーム
３１        空気注入栓
３２        収納槽
４          ウォーターバッグ
４１        外囲層
４２        注水栓
４３        仕切り片
４４        通水孔
４５        縦方向仕切り片
４６        密閉矩形エアバッグ
４７        エアチューブ
５          凹型ベッド体
５１        収納空間
５２        挿入・取り出し口
５３        収納槽
６          エア保護フレーム
６１        空気注入栓
７          ベッドケース
８          中央エアフレームまたは細長スポンジ
８１        面ファスナー
９          面ファスナーまたはファスナー
１０        健康ベッドマット
【図１】
0003106585.tif 000003
【図２】
0003106585.tif 000004
【図３】
0003106585.tif 000005
【図４】
0003106585.tif 000006
【図５】
0003106585.tif 000007